【手続補正書】
【提出日】平成16年2月20日(2004.2.20)
【手続補正１】
【補正対象書類名】明細書
【補正対象項目名】全文
【補正方法】変更
【補正の内容】
【発明の名称】携帯型電話装置
【特許請求の範囲】
【請求項１】電話番号等を入力する入力手段と、各種情報を画面表示する複数の表示手段と、装置本体に開閉可能に設けた開閉手段と、音声入力手段および音声出力手段とを備え、前記開閉手段の両面に前記表示手段を設けたことを特徴とする携帯型電話装置。
【請求項２】前記開閉手段を閉じたときに、前記開閉手段における一方の面の表示手段を外部から視認可能な位置に設け、他方の面の表示手段を装置本体に対向する位置に設け、前記一方の面の表示手段に、電界強度を表示させることを特徴とする請求項１記載の携帯型電話装置。
【請求項３】前記開閉手段を閉じたときに、前記開閉手段における一方の面の表示手段を外部から視認可能な位置に設け、他方の面の表示手段を装置本体に対向する位置に設け、前記一方の面の表示手段に、時刻を表示させることを特徴とする請求項１記載の携帯型電話装置。
【請求項４】前記開閉手段を閉じたときに、前記開閉手段における一方の面の表示手段を外部から視認可能な位置に設け、他方の面の表示手段を装置本体に対向する位置に設け、前記一方の面の表示手段に、カレンダーを表示させることを特徴とする請求項１記載の携帯型電話装置。
【請求項５】前記開閉手段を閉じたときに、前記開閉手段における一方の面の表示手段を外部から視認可能な位置に設け、他方の面の表示手段を装置本体に対向する位置に設け、前記一方の面の表示手段に、電子メールの着信の有無を表示させることを特徴とする請求項１記載の携帯型電話装置。
【請求項６】前記表示手段をポリマーフィルム液晶表示装置で構成したことを特徴とする請求項１〜５のいずれか１項記載の携帯型電話装置。
【請求項７】複数の前記表示手段の中から、所定の表示手段にのみ電源をオンにすることを特徴とする請求項１〜６のいずれか１項記載の携帯型電話装置。
【請求項８】前記開閉手段を開く方向に付勢する付勢手段を設けたことを特徴とする請求項１〜７のいずれか１項記載の携帯型電話装置。
【請求項９】前記開閉手段を閉じたときに装置本体と係合する係合手段と、この係合手段による係合状態を解除する解除手段を設け、この解除手段を操作した際に、前記付勢手段の付勢によって前記開閉手段が開くことを特徴とする請求項８記載の携帯型電話装置。
【発明の詳細な説明】
【０００１】
【発明の属する技術分野】
本発明は、通話および文字情報機能を有する携帯型電話装置に関する。
【０００２】
【従来の技術】
近年、携帯型電話装置は、その携帯性とともにデータ通信機能が多く利用されている。特に、無線通信を利用した、文字，画像情報の通信が多様化し、通信インフラの普及，整備も手伝って、より多くの情報が電子機器同士でやり取りされるようになっている。
【０００３】
ところで、携帯型電話装置のような携帯性に優れた電子機器は、優れた携帯性の反面、携帯型パソコンのように情報を表示するのに十分な大きさの表示装置を実装することが困難になっている。既存の携帯型電子機器は、単一の表示装置を搭載して各種の情報を表示するのが一般的である。
【０００４】
【発明が解決しようとする課題】
本発明は、使用者が見たい情報を多く表示できるようにした携帯型電話装置を提供することを目的とする。
【０００５】
【課題を解決するための手段】
前記目的を達成するための本発明は、電話番号等を入力する入力手段と、各種情報を画面表示する複数の表示手段と、装置本体に開閉可能に設けた開閉手段と、音声入力手段および音声出力手段とを備え、前記開閉手段の両面に前記表示手段を設けたことを特徴とする。このような構成により、携帯電話装置における表示画面を多くすることが可能になる。
【０００６】
また本発明は、前記開閉手段を閉じたときに、前記開閉手段における一方の面の表示手段を外部から視認可能な位置に設け、他方の面の表示手段を装置本体に対向する位置に設け、前記一方の面の表示手段に、電界強度を表示させることを特徴とする。また、前記開閉手段を閉じたときに、前記開閉手段における一方の面の表示手段を外部から視認可能な位置に設け、他方の面の表示手段を装置本体に対向する位置に設け、前記一方の面の表示手段に、時刻を表示させることを特徴とする。また、前記開閉手段を閉じたときに、前記開閉手段における一方の面の表示手段を外部から視認可能な位置に設け、他方の面の表示手段を装置本体に対向する位置に設け、前記一方の面の表示手段に、カレンダーを表示させることを特徴とする。また、前記開閉手段を閉じたときに、前記開閉手段における一方の面の表示手段を外部から視認可能な位置に設け、他方の面の表示手段を装置本体に対向する位置に設け、前記一方の面の表示手段に、電子メールの着信の有無を表示させることを特徴とする。このような構成により、開閉手段を閉じた状態で、必要最低限の情報を使用者に通知することができる。
【０００７】
また本発明は、前記表示手段をポリマーフィルム液晶表示装置で構成したことを特徴とする。このような構成により、開閉手段のさらなる薄型化が可能になる。
【０００８】
また本発明は、複数の前記表示手段の中から、所定の表示手段にのみ電源をオンにすることを特徴とする。このような構成により、使用しない表示手段の電源がオフになることにより、最低限必要な表示装置以外の電源をオフにするため、装置全体のエネルギー消費を低減することができる。
【０００９】
また本発明は、前記開閉手段を開く方向に付勢する付勢手段を設けたことを特徴とする。このような構成により、付勢手段の付勢力によって開閉手段を開くことが可能になる。
【００１０】
また本発明は、前記開閉手段を閉じたときに装置本体と係合する係合手段と、この係合手段による係合状態を解除する解除手段を設け、この解除手段を操作した際に、前記付勢手段の付勢によって前記開閉手段が開くことを特徴とする。このような構成により、解除手段の操作によって開閉手段を開くことが可能になる。
【００１１】
【発明の実施の形態】
以下、本発明の実施形態について、図面を参照しながら詳細に説明する。
【００１２】
（第１実施形態）
図１は本発明の第１実施形態における携帯型電話装置の外観構成を示す斜視図であり、１は本体、２はアンテナ、３はスピーカ、４は開閉パネル、５は開閉パネル４の表面に設けられた第1表示部、６はテンキー等を含む操作パネル、７はマイク、８は操作キーを示す。
【００１３】
本体１の上面にはアンテナ２が設けられており、本体１の上部にスピーカ３が設けられ、下部にマイク７が設けられている。スピーカ３の下部に開閉パネル４が一方の側部を軸として回動可能に設置されている。さらに開閉パネル４とマイク７との間に操作パネル６が配置されている。また、本体１の側部に操作キー８が設けられている。さらに、本体１の側部には、図２に示すように、オープンボタン９が設けられており、このオープンボタン９を押すことにより開閉パネル４を開くことができるようになる。
【００１４】
図３は図１の携帯型電話装置において開閉パネルを開いた状態を示す斜視図であり、１０は開閉パネル４の裏面に設けられた第２表示部、１１は本体１における開閉パネル４の対向部位に設けられた第３表示部、１２は開閉パネル４の裏側の側部に設けられたフック部、１３は開閉パネル４を閉じたときにフック部１２が収納される穴、１４は、第３表示部１１を有し、開閉パネル４を収納する収納部を示す。さらに、本体１内における穴１３の近傍にはフック部１２に係合する係合部材（図示せず）が設けられ、また、開閉パネル４の回動軸側には開閉パネル４を開く方向に付勢する回動用スプリング（図示せず）が設けられている。この係合部材はオープンボタン９に連動しており、オープンボタン９を押圧することによって図３に示すように開閉パネル４が開かれた状態になり、開閉パネル４を閉じたときには図１に示すように本体１に収納された状態になる。
【００１５】
図４は開閉パネルに設置した表示部の構成を示す断面図であり、２０は反射板、２１，２２は反射板２０の両面に配置された第１偏光板、２３，２４は第１偏光板２１，２２に設置された第１透明電極、２５，２６は第１透明電極２３，２４に設けた液晶層、２７，２８は第１透明電極２３，２４との間に液晶層２５，２６を挟むように配置された第２透明電極、２９，３０は第２透明電極２７，２８に設けた位相板、３１，３２は位相板２９，３０に設けた第２偏光板を示す。
【００１６】
すなわち、第１表示部５は、第１偏光板２１，第１透明電極２３，液晶層２５，第２透明電極２７，位相板２９，偏光板３１を積層した構成であり、第２表示部１０は、第１偏光板２２，第１透明電極２４，液晶層２６，第２透明電極２８，位相板３０，偏光板３２を積層した構成であり、第１表示部５および第２表示部１０を反射板２０の表裏に設けたことにより両面表示可能な液晶表示装置を構成して、開閉パネル４の表裏面において液晶表示を可能にしたものである。
【００１７】
開閉パネル４を閉じた状態においては、第１表示部５にのみ通電されており、第２，第３表示部１０，１１には開閉パネル４を開いた場合にのみ通電される。また、第２，第３表示部１０，１１に対する通電を禁止させる設定が使用者の操作パネル６の操作によって可能に構成されている。その結果、不意に開閉パネル４が開いた場合にも第２，第３表示部１０，１１は動作しないために、装置本体のエネルギー消費を低減することができる。
【００１８】
図５，図６は図１の携帯型電話装置の使用例を示す説明図である。開閉パネル４を閉じた状態においては、第１表示部５に、その携帯型電話装置を使用していないときの必要最低限の情報、例えば、電界強度、時刻、カレンダー、電子メールの着信の有無、その他使用者に通知する内容等が表示される。受信した電子メールを読む場合には、図６に示すように、開閉パネル４を開いて第２，第３表示部１０，１１が見えるようにする。このとき第２表示部１０には電子メールの主題の一覧を表示し、さらに第３表示部１１には第２表示部１０に表示した一覧から選択された主題に対応する本文が表示される。
【００１９】
このように構成したことにより、同時に多くの表示を行うことが可能になる。また、所望の電子メールを読むために多くのキー操作を行う必要がなくなり、ページをめくるような感覚で画面表示を見ることができる。
【００２０】
（第２実施形態）
図７，図８は本発明の第２実施形態における携帯型電話装置の外観を示す斜視図であり、１５は開つまみを示す。なお、図１または図３に示した第１実施形態における部材と同一の部材または同一機能の部材については同一の符号を付して詳細な説明は省略する。
【００２１】
第１実施形態における開閉パネル４においては本体１の側方に開閉させる構成であることに対して、第２実施形態の携帯型電話装置は、開閉パネル４の回動軸をスピーカ３側の側部に設け、スピーカ３側に回動するように構成したものである。
【００２２】
さらに、操作パネル６の上部に開つまみ１５が設けられており、開閉パネル４が閉じた状態においては、開閉パネル４の一部が開つまみ１５に係合して、図７に示すように、開閉パネル４が本体１に収納された状態になる。開閉パネル４を開く場合には、開つまみ１５を操作することによって、図８に示すように、開閉パネル４が開かれた状態になる。
【００２３】
このように構成したことにより、開閉パネル４を開いた状態で本体１を持ったときに開閉パネル４が手に当たるようなことが防止できる。
【００２４】
なお、本発明の携帯型電子装置は、上述した構成に限るものではない。例えば、開閉パネル４に装着する表示部をポリマーフィルム液晶表示装置で構成することにより、開閉パネル４の薄型化が可能となる。また、開閉パネル４の両面に片面表示の表示装置を取り付けても良く、さらに表示部を液晶表示装置以外の表示装置によって構成しても良い。
【００２５】
【発明の効果】
以上、説明したように構成した本発明によれば、電話番号等を入力する入力手段と、各種情報を画面表示する複数の表示手段と、装置本体に開閉可能に設けた開閉手段と、機器本体に設けた音声入力手段および音声出力手段とを備え、開閉手段の両面に表示手段を設けたことにより、携帯電話装置における表示画面を多くすることが可能になる。
【００２６】
また、開閉手段を閉じたときに、表示手段を外部から視認可能な位置に設け、表示手段に、電界強度、時刻、カレンダー、電子メールの着信の有無を表示させること、携帯型電話装置を使用しない場合においても必要最低限の情報を使用者に通知することができる。
【００２７】
また、表示手段にポリマーフィルム液晶表示装置を用いることにより、開閉手段のさらなる薄型化が可能になる。
【００２８】
また、使用しない表示手段の電源がオフになることにより、最低限必要な表示装置以外の電源をオフにするため、装置全体のエネルギー消費を低減することができる。
【００２９】
また、解除手段を操作した際に、付勢手段の付勢によって開閉手段が開くように構成したことにより、解除手段の操作によって開閉手段を開くことが可能になる。
【図面の簡単な説明】
【図１】本発明の第１実施形態における携帯型電話装置の外観構成を示す斜視図
【図２】図１の携帯型電話装置のオープンボタン付近の構成を示す側面図
【図３】図１の携帯型電話装置において開閉パネルを開いた状態を示す斜視図
【図４】開閉パネルに設置した表示部の構成を示す断面図
【図５】図１の携帯型電話装置の使用例を示す説明図
【図６】図５の携帯型電話装置の開閉パネルを開いた状態を示す斜視図
【図７】本発明の第２実施形態における携帯型電話装置の外観を示す斜視図
【図８】図７の携帯型電話装置の開閉パネルを開いた状態を示す斜視図
【符号の説明】
１  本体
２  アンテナ
３  スピーカ
４  開閉パネル
５  第１表示部
６  操作パネル
７  マイク
８  操作キー
９  オープンボタン
１０  第２表示部
１１  第３表示部
１２  フック部
１３  穴
１５  開つまみ
２０  反射板
２１，２２  第１偏光板
２３，２４  第１透明電極
２５，２６  液晶層
２７，２８  第２透明電極
２９，３０  位相板
３１，３２  第２偏光板


【手続補正２】
【補正対象書類名】図面
【補正対象項目名】全図
【補正方法】変更
【補正の内容】
【図１】
2000278373.tif 000001
【図２】
2000278373.tif 000002
【図３】
2000278373.tif 000003
【図４】
2000278373.tif 000004
【図５】
2000278373.tif 000005
【図６】
2000278373.tif 000006
【図７】
2000278373.tif 000007
【図８】
2000278373.tif 000008